(57)【要約】      （修正有）【課題】ネジの締め付け及び取り外しを行うために使用される複数の寸法の異なる段付ビットを使用中に外れ落ちがなく、確実に固持できる段付ビット用マグネットキャッチを提供する。【解決手段】段付ビット用マグネットキャッチは可撓アーム４で連結される上ブロック部２及び下ブロック部３からなる同一形状のキャッチブロック１ａ，１ｂを組付け固定したものからなり、キャッチブロックには夫々マグネットの収納部や係止爪や係止穴が形成されキャッチブロックは堅く固持される。段付ビットは可撓アームの変形によりその大きさが可変となる収納孔５内に挿入可能であると共に堅く着磁固持される。【選択図】図６
0003185668.tif 000002
【実用新案登録請求の範囲】
【請求項１】
ネジ締め及び緩めを行うための段付ビットを着磁保持及び脱磁するためのマグネットキャッチであって、該マグネットキャッチは互いに係着固持される同一形状の一対の柔軟材からなるキャッチホルダからなり、該キャッチホルダは可撓アームを介して上下に連結される上ブロック部及び下ブロック部から形成され、この上下のブロック部にはマグネットの収納部と係止爪及び係止爪の係着収納される係止穴とを夫々形成するものからなり、前記可撓アームで連結される前記上下のブロック部間には段付ビットの挿入される収納孔が貫通形成するものからなることを特徴とする段付ビット用マグネットキャッチ。
【請求項２】
前記可撓アームは、複数の大きさの前記段付ビットを保持すべく前記収納孔の大きさを可変とする柔軟性形状を形成するものからなることを特徴とする請求項１に記載の段付ビット用マグネットキャッチ。
【考案の詳細な説明】
【技術分野】
【０００１】
本考案は、ネジ締めや外しを容易に、かつ確実に行うために段付ビットを着磁固持すると共に径寸法の異なる段付ビットを収納可能にすべく柔軟な可撓アームによる可変の収納孔を有するものからなる段付ビット用マグネットキャッチに関する。
【背景技術】
【０００２】
段付ビット６としては、例えば図７の（ａ），（ｂ）に示すように、その直径の相異するものがあり、図７に示すように直径４．５ｍｍの段付ビット６ａのものと５．３ｍｍの段付ビット６ｂの如きものが一般に使用されている。この２種類（２種類に限定するものではないが）の段付ビット６ａ，６ｂを夫々別のマグネットキャッチにより着磁固持することは経済的でなく共通のマグネットキャッチにより着磁固持することが望ましい。
【０００３】
マグネットを用いたビット保持具としては、例えば「特許文献１」に示すものや公知技術ではないが図９，図１０に示すものがある。
【先行技術文献】
【特許文献】
【０００４】
【特許文献１】登録実用新案第３１２６７００号（図１）
【考案の概要】
【考案が解決しようとする課題】
【０００５】
「特許文献１」の「登録実用新案第３１２６７００号」の「着磁・脱磁機能を有するマグネットキャッチ」はその（図１）に示すように寸法の異なる工具（６）を収納する多数個の凹部（７）を有するものであるが、これ等の工具（６）を着磁するにはホルダアーム（２），（３）に設けられている異方性マグネット（８）に工具（６）を押し当てることが必要であり、凹部（７）に工具（６）を挿入しても工具（６）が自体が直接着磁されるものではない問題点がある。なお、このものは脱磁機能を有するものであるが特別の形態のものを形成しているものではない。
【０００６】
一方、図９や図１０で示しているマグネットキャッチ２００及び３００は段付ビット６を着磁固持可能な形状のものからなるが複数の段付ビット６を着磁固持出来る形状のものではない。また、後に説明する本考案のように着磁固持している段付ビット６が確実に固持される可能性が高いものではなく、段付ビット６が使用時に外れ落ちる危険性を有する問題点があるものである。
【０００７】
本考案は、以上の問題点を解決すべく考案されたものであり、複数の段付ビットをその１つの収納孔に挿入することにより確実に着磁固持され、使用時において段付ビットの外れ落ちがなく、脱磁も出来る段付ビット用マグネットキャッチを提供することを目的とする。
【課題を解決するための手段】
【０００８】
本考案は、以上の目的を達成するために請求項１の考案は、ネジ締め及び緩めを行うための段付ビットを着磁保持及び脱磁するためのマグネットキャッチであって、該マグネットキャッチは互いに係着固持される同一形状の一対の柔軟材からなるキャッチホルダからなり、該キャッチホルダは可撓アームを介して上下に連結される上ブロック部及び下ブロック部から形成され、この上下のブロック部にはマグネットの収納部と係止爪及び係止爪の係着収納される係止穴とを夫々形成するものからなり、前記可撓アームで連結される前記上下のブロック部間には段付ビットの挿入される収納孔が貫通形成するものからなることを特徴とする。
【０００９】
また、請求項２の考案は、前記可撓アームは、複数の大きさの前記段付ビットを保持すべく前記収納孔の大きさを可変とする柔軟形状性を形成するものからなることを特徴とする。
【考案の効果】
【００１０】
本考案の請求項１の段付ビット用マグネットキャッチによれば、段付ビットの挿入されるマグネットキャッチは一対の同一形状のキャッチホルダを係止爪と係止穴を介して堅く嵌着したものからなり、一対のキャッチホルダの分離が全くなく、キャッチホルダに着磁固持されている段付ビットの外れ落ちは全く発生しない。
また、請求項１及び請求項２に示すように収納孔や柔軟性の可撓アームの形成により段付ビットの挿入される収納孔は可変となり複数の段付ビットを確実に着磁固持することが出来る。
【図面の簡単な説明】
【００１１】
【図１】本考案の段付ビット用マグネットキャッチの全体構造を示す正面図。
【図２】図１のＡ矢視の側面図。
【図３】キャッチホルダの構造を示す正面図。
【図４】キャッチホルダの係止爪の形状を説明するための断面図。
【図５】係止爪や係止穴やマグネットや収納孔等の形状や配置を示す側断面図。
【図６】本考案の段付ビット用マグネットキャッチの斜視図。
【図７】２本の段付ビットを示す正面図（ａ），（ｂ）。
【図８】本考案の段付ビットの使用状態を説明するための斜視図。
【図９】従来使用されているマグネットキャッチを示す側断面図。
【図１０】従来使用されているマグネットキャッチを示す側断面図。
【考案を実施するための形態】
【００１２】
以下、本考案の段付ビット用マグネットキャッチの実施の形態を図面を参照して詳述する。
【実施例１】
【００１３】
図１及び図６に示すように段付ビット用マグネットキャッチ１００は同一形状の一対のキャッチホルダ１ａ及び１ｂを係着固定し一体化したものからなる。このキャッチホルダ１ａ，１ｂは柔軟性部材、例えば樹脂材から形成されている。
【００１４】
キャッチホルダ１（本実施例では１ａ，１ｂ）は図１，図２，図３，図５，図６等に示すように上ブロック部２と下ブロック部３とこれ等を連結する可撓アーム４から形成されている。また、図２によく示すように上ブロック部２と下ブロック部３との間には段付ビット６（本実施例では６ａ，６ｂ）の挿入される収納孔５が形成される。なお、この収納孔５の自由状態における大きさは本実施例では最小径の段付ビット６ａがやや堅く挿入される大きさのものからなる。また、可撓アーム４は図２等に示すように収納孔５を拡径可能にする柔軟的な弧形状をしたものからなる。
【００１５】
図３及び図５に示すように上ブロック部２と下ブロック部３にはマグネット７の収納される収納部８と係止爪９と係止爪９が係着収納される係止穴１０が夫々形成されている。図４は係止爪９の形状を詳しく示すものである。
【００１６】
以上の構造のキャッチホルダ１ａ，１ｂを互いに押圧して組付けると係止爪９が係止穴１０に係止されキャッチホルダ１ａ，１ｂは堅く固持され互いに分離することが出来ない形状となる。また、収納孔５はマグネット７により磁界を形成するものからなり、この収納孔５に挿入された段付ビット６は着磁されることになる。この着磁作用とキャッチホルダ１ａ，１ｂの係止爪９と係止穴１０との係着により段付ビット用マグネットキャッチ１００に挿入された段付ビット６ａ，６ｂは着磁され、かつ固持されて外れ落ちのない状態となる。
【００１７】
また、前記したように、収納孔５は直径の一番小さい段付ビット６ａを着磁固持すると共に直径の大きい段付ビット６ｂが挿入されても可撓アーム４が変形しこれを着磁固持することが出来る。
【００１８】
図８は本考案の段付ビット用マグネットキャッチ１００を用いた段付ビット６によるネジ１１の締め付け又は取り外し状態を示すものである。
段付ビット６は段付ビット用マグネットキャッチ１００に挿入されることにより着磁固持されるためネジ１１は段付ビット６に磁着され簡単に落下せず、ネジ１１を保持する。そのため段付ビット６を回転させることにより容易に締め付け又は取り外しすることが出来る。この作業中においても前記のように段付ビット６は段付ビット用マグネットキャッチ１００に堅く着磁固持されており外れ落ちることは全く発生しない。
【００１９】
なお、着磁された段付マグネット６ａ，６ｂは段付ビット用マグネットキャッチ１００の外面にこすり当てることにより容易に脱磁される。
【００２０】
本考案の段付ビット用マグネットキャッチ１００は以上の内容のものからなるが、その内容は前記のものに限定されるものではなく同一技術的範疇のものが含まれることは勿論である。また、実施例では段付ビット６を大小２本の６ａ，６ｂとしたが勿論それに限定するものではない。
【産業上の利用可能性】
【００２１】
本考案の段付ビット用マグネットキャッチ１００は種々の形状の段付ビット６に対応することが出来るものであり、段付ビット６以外に対しても適用可能であり、その利用範囲は広い。
【符号の説明】
【００２２】
１      キャッチホルダ
１ａ    キャッチホルダ
１ｂ    キャッチホルダ
２      上ブロック部
３      下ブロック部
４      可撓アーム
５      収納孔
６      段付ビット
６ａ    段付ビット
６ｂ    段付ビット
７      マグネット
８      収納部
９      係止爪
１０    係止穴
１１    ネジ
１００  段付ビット用マグネットキャッチ
２００  マグネットキャッチ
３００  マグネットキャッチ
【図１】
0003185668.tif 000003
【図２】
0003185668.tif 000004
【図３】
0003185668.tif 000005
【図４】
0003185668.tif 000006
【図５】
0003185668.tif 000007
【図６】
0003185668.tif 000008
【図７】
0003185668.tif 000009
【図８】
0003185668.tif 000010
【図９】
0003185668.tif 000011
【図１０】
0003185668.tif 000012